(57)【要約】【課題】簡単な操作で、画像情報提供手段からキャプチャした画像情報を着脱自在の記録媒体（第２記録媒体）に複写することが可能な、情報処理方法と装置および情報処理プログラムを提供する。【解決手段】パソコン本体４１の表示器のウインドウに「画像取り込みボタン」のアイコンを付加し、このアイコンを操作して、インターネット１に接続された画像情報提供手段としてのＷｅｂサイト３から画像情報をキャプチャする。さらに専用ウインドウを起動して、キャプチャした画像情報を一旦、第１記録媒体、たとえば、ハードディスク４３に保存する。キャプチャした画像情報のうち静止画データがＪＰＥＧ方式の静止画でない場合ＪＰＥＧ方式の静止画データに変換してハードディスク４３に保存する。ハードディスク４３に記録されているキャプチャ画像ファイルのうち、第２記録媒体、たとえば、メモリカード５に複写することが要求された静止画データをＤＣＦフォーマットでメモリカード５に複写する。【選択図】  図２
2005051281.tif 000002
【特許請求の範囲】
【請求項１】
情報処理装置の表示画面に、画像取込み指定ボタンが付加されるウインドウを表示し、
ユーザが上記取込み指定ボタンを選択することによって、上記情報処理装置の表示画面に表示される選択されたウインドウの範囲内に表示される表示情報を静止画像データとして複写してキャプチャ画像ファイルを生成し、
生成した上記キャプチャ画像ファイルを第１記録媒体の特定のフォルダに記録し、
上記特定のフォルダに記録されたキャプチャ画像ファイルの一覧を表示する第１のエリアと、上記情報処理装置に接続される第２記録媒体の特定のフォルダに記録されるファイルの一覧を表示する第２のエリアとを有する専用ウインドウを起動し、
上記専用ウインドウの上記第１エリアに表示されるキャプチャ画像ファイルのうちユーザに選択されたキャプチャ画像ファイルを第２記録媒体に複写することを特徴とする情報処理方法。
【請求項２】
上記取込み指定ボタンが選択されることによって、上記キャプチャ画像ファイルが上記第１記録媒体へ記録され、同時に上記専用ウインドウが表示されることを特徴とする、請求項１記載の情報処理方法。
【請求項３】
上記専用ウインドウにおいて、上記キャプチャ画像ファイルは、縮小画像であるサムネイル表示されることを特徴とする、請求項１記載の情報処理方法。
【請求項４】
上記取込み指定ボタンは、ツールバーに付加される取込みアイコンであることを特徴とする、請求項１記載の情報処理方法。
【請求項５】
上記取込み指定ボタンは、ツールメニュー内に付加される取込みメニューであることを特徴とする、請求項１記載の情報処理方法。
【請求項６】
上記情報処理装置は通信網に接続され、上記通信網に接続された画像情報提供手段から静止画データおよびその静止画データに関連する情報を含む画像情報をキャプチャする、請求項１記載の情報処理方法。
【請求項７】
上記キャプチャした画像情報のうち静止画データがＪＰＥＧ方式の静止画でない場合ＪＰＥＧ方式の静止画データに変換して上記第１記録媒体の特定のフォルダに保存する、請求項１記載の情報処理方法。
【請求項８】
上記第２記録媒体に上記選択されたキャプチャ画像ファイルを複写するとき、ＤＣＦフォーマットで複写する、請求項７記載の情報処理方法。
【請求項９】
前記第１記録媒体の特定のフォルダに記録された複数のキャプチャ画像ファイルにタイトル、および／または、コメントを付す、請求項１記載の情報処理方法。
【請求項１０】
前記専用ウインドウ上にて、前記第１記録媒体に記録されている複数のキャプチャ画像ファイルを並べ替ることができる、請求項１記載の情報処理方法。
【請求項１１】
前記専用ウインドウ上にて、前記第１記録媒体に記録されている画像情報を消去することができる、請求項１記載の情報処理方法。
【請求項１２】
前記専用ウインドウ上にて、前記第２記録媒体に複写した複数のキャプチャ画像ファイルを消去することができる、請求項１記載の情報処理方法。
【請求項１３】
情報処理装置の表示画面に、画像取込み指定ボタンが付加されるウインドウを表示する第１の手段と、
ユーザが上記取込み指定ボタンを選択することによって、上記情報処理装置の表示画面に表示される選択されたウインドウの範囲内に表示される表示情報を静止画像データとして複写してキャプチャ画像ファイルを生成する第２の手段と、生成した上記キャプチャ画像ファイルを第１記録媒体の特定のフォルダに記録する第３の手段と、
上記特定のフォルダに記録されたキャプチャ画像ファイルの一覧を表示する第１のエリアと、上記情報処理装置に接続される第２記録媒体の特定のフォルダに記録されるファイルの一覧を表示する第２のエリアとを有する専用ウインドウを起動する第４の手段と、
上記専用ウインドウの上記第１エリアに表示されるキャプチャ画像ファイルのうち、ユーザに選択されたキャプチャ画像ファイルを第２記録媒体に複写する第５の手段とを具備する、情報処理装置。
【請求項１４】
情報処理装置の表示画面に、画像取込み指定ボタンが付加されるウインドウを表示する第１の手順と、
ユーザが上記取込み指定ボタンを選択することによって、上記情報処理装置の表示画面に表示される選択されたウインドウの範囲内に表示される表示情報を静止画像データとして複写してキャプチャ画像ファイルを生成する第２の手順と、生成した上記キャプチャ画像ファイルを第１記録媒体の特定のフォルダに記録する第３の手順と、
上記特定のフォルダに記録されたキャプチャ画像ファイルの一覧を表示する第１のエリアと、上記情報処理装置に接続される第２記録媒体の特定のフォルダに記録されるファイルの一覧を表示する第２のエリアとを有する専用ウインドウを起動する第４の手順と、
上記専用ウインドウの上記第１エリアに表示されるキャプチャ画像ファイルのうち、ユーザに選択されたキャプチャ画像ファイルを第２記録媒体に複写する第５の手順とを具備する、情報処理プログラム。
【発明の詳細な説明】
【０００１】
【発明の属する技術分野】
本発明は、画像処理機能を有するパーソナルコンピュータ（パソコン）などの画像処理装置を用いてインターネットなどの通信網を経由して対話形式で通信網に接続されたＷｅｂサイトなどの画像情報提供手段（情報源）から希望する画像情報を取得し（または捕捉し（キャプチャし））、画像処理装置に搭載されたハードディスクなどの第１記録媒体に捕捉した画像情報を保存し、さらに、着脱自在であり他の画像処理装置に装荷可能な第２記録媒体に画像情報を複写する（コピーする）ことを可能にする、画像処理方法と画像処理装置に関する。
【０００２】
【従来の技術】
最近、電子技術の進展に伴うコンピュータの性能向上と小型化、および、そのようなコンピュータを用いた画像処理技術の進展に伴って、コンピュータを内蔵した種々のディジタル画像を再生可能な画像処理装置が使用されている。
そのような画像処理装置としては、たとえば、携帯可能なパーソナルコンピュータ（パソコン）、カメラ付携帯電話機、携帯容易なディジタルカメラ、携帯容易なＰＤＡ、プリンタ装置などが知られている。
【０００３】
ディジタルカメラは、撮像手段としてたとえばＣＣＤを搭載し、表示手段としてたとえば液晶表示器を有し、信号処理手段としてコンピュータを内蔵し、さらに着脱自在な記録手段、たとえば、メモリカードを装荷できる。ディジタルカメラにおいては、ＣＣＤで撮像した画像を液晶表示器に再生画像として即座に出力できるし、撮像した静止画をディジタルカメラに装荷されている着脱自在な記録手段に保存することもできる。
着脱自在な記録手段に保存された静止画データはプリンタ装置で紙に再生することができる。
【０００４】
カメラ付携帯電話機は、撮像手段としてたとえばＣＣＤを搭載し、表示手段としてたとえば液晶表示器を有し、信号処理手段としてコンピュータを内蔵し、さらに通信手段と、記録手段とを備えている。したがって、カメラ付携帯電話機においては、ＣＣＤで撮像した画像を液晶表示器に再生画像として即座に出力できるし、そのような静止画を記録手段に記録できるし、通信手段を用いて通信網、たとえば、インターネットを介して他の携帯電話機などに転送することもできる。
【０００５】
他方、画像処理装置で生成（準備）した静止画を着脱自在な記録手段に記録し、その着脱自在な記録手段を他の画像処理装置、たとえば、ディジタルカメラ、カメラ付携帯電話機、ＰＤＡなどに装荷すると、そのようなディジタルカメラ、カメラ付携帯電話機、ＰＤＡなどの表示器に再生静止画を表示することができる。同様に、そのような静止画を記録した着脱自在な記録手段をプリンタ装置に装荷すると紙に静止画を再生画像として再現できる。
【０００６】
このように、ある画像処理装置で撮像した静止画を着脱自在な記録媒体に保存し、その着脱自在な記録媒体を汎用の各種の画像処理装置に装荷すると静止画が簡単に再生可能な時代になっている。その結果、情報として静止画情報、写真情報など画像情報の活用が広がっている。
【０００７】
インターネットなどの通信網を介して情報源から各種の情報を取得可能な時代でもある。たとえば、インターネットに接続されたＷｅｂサイトから静止画像をインターネットに接続したパーソナルコンピュータで取り込み（キャプチャし）、パーソナルコンピュータに装荷されているハードディスクなどの第１記録媒体に保存することもできる。さらに、パーソナルコンピュータを用いてハードディスクに保存した種々の静止画を、編集、修正、並べ替え、削除などの管理作業をしてパーソナルコンピュータに装荷されているハードディスクに記録した静止画を整理することもできる。
そして、必要に応じて、ハードディスクに保存されている静止画を着脱自在な記録媒体に複写し（保存し）、静止画を保存した着脱自在な記録媒体を、ディジタルカメラ、ＰＤＡなどに装荷してそのような装置において静止画を再生するという２次使用も可能である。
【０００８】
したがって、Ｗｅｂサイトなど画像情報提供手段から種々の画像情報を、インターネットを介してキャプチャしてパーソナルコンピュータのハードディスクに保存しておき、そのうち必要な画像情報を必要な都度、たとえば、ＰＤＡに装荷可能な着脱自在の記録媒体に複写して（保存して）、その着脱自在の記録媒体をＰＤＡに装荷すれば、ユーザが携帯するＰＤＡで画像情報、特に、静止画を再生することが可能となる。すなわち、画像データの携帯（携行）が可能となる。
【０００９】
メモリカードなどの小型の着脱自在な記録媒体は、規格統一のため、画像情報としてＪＰＥＧの静止画を対象としており、そのフォーマットはＤＣＦ規格のフォーマット（以下、ＤＣＦフォーマット）である。
【００１０】
ＤＣＦ／Ｅｘｉｆ
ＤＣＦ（Ｄｅｓｉｇｎ  ｒｕｌｅ  ｆｏｒ  Ｃａｍｅｒａ  Ｆｉｌｅ  ｓｙｓｔｅｍ  ）は、ＪＥＩＤＡ（日本電子工業振興協会、現在は、合併されて「社団法人電子情報技術産業協会（ＪＥＩＴＡ））が制定した、ディジタルカメラ用の画像フォーマットであり、ＪＥＩＤＡが承認・標準化したディジタルカメラ用画像ファイルの規格のＥｘｉｆ（Ｅｘｃｈａｎｇｅａｂｌｅ  Ｉｍａｇｅ  Ｆｉｌｅ  Ｆｏｒｍａｔ）のＪＰＥＧ方式を基本にして、フォルダ構造や記録メディアに対する記録方法などが定義されている。
ＤＣＦは記録方法のほか、Ｅｘｉｆ同様、ディジタルカメラの機種や撮影日などの情報も格納できるようになっている。
日本国内のディジタルカメラのほとんどは、このＤＣＦフォーマットに対応している。
【００１１】
ＪＰＥＧ
ＪＰＥＧ（Ｊｏｉｎｔ  Ｐｈｏｔｏｇｒａｐｈｉｃ  Ｅｘｐｅｒｔｓ  Ｇｒｏｕｐ）は、静止画像伝達（伝送）の国際的な統一方式のために設置された合同組織で規格された静止画像圧縮方式である。
【００１２】
【発明が解決しようとする課題】
これまで、簡単な方法で、画像提供手段、たとえば、Ｗｅｂサイトからインターネットを介してパーソナルコンピュータのハードディスクに、画像情報をキャプチャし、キャプチャした画像情報を第１記録媒体に保存し、保存した画像のうち希望する画像情報を着脱自在の記録媒体（第２記録媒体）に複写することが可能な方法が提案されていない。
さらに、情報提供手段からパーソナルコンピュータのハードディスクに画像情報、たとえば、静止画を保存したとしても、そのような画像はＪＰＥＧ方式の静止画とは限らないから、パーソナルコンピュータのハードディスクに保存した静止画を着脱自在な第２記録媒体に複写するときは、ＪＰＥＧの画像フォーマットに変換しなければならないという不具合がある。
【００１３】
現在、そのような処理を行うとすれば下記のような作業になると考えられる。
（１）パーソナルコンピュータによるＷｅｂのページを立ち上げ、（２）スクリーンキャプチャして静止画を取得し（キャプチャし）、（３）キャプチャした画像情報のうち静止画をＪＰＥＧ方式に変換してハードディスクに保存し、（４）希望があったとき、ハードディスクに保存した静止画のうちの希望する静止画をＤＣＦフォーマットでメモリカードなどの小型で着脱自在の記録媒体に複写する。このような作業は幾分煩雑である。
【００１４】
また、メモリカードなどの小型の着脱自在な第２記録媒体を装荷可能なディジタルカメラにおいては、撮像した静止画データを順序に従って記録しているだけであり、タイトル（名前）をつけたり、整理する機能などの機能を有していないが、静止画をただ表示するだけでなく、タイトルを付したり、コメントを付して静止画を再生したいという場合（希望）もある。
【００１５】
さらに、Ｗｅｂサイトから取得した（キャプチャした）画像情報を着脱自在の記録媒体に複写する際に、事前にユーザがタイトルを付したり、コメントを付したり、他の画像情報と組み合わせたり、編集した上で、着脱自在の記録媒体に写したいという希望がある。
【００１６】
本発明の目的は、簡単な操作で、画像提供手段からキャプチャした画像情報を第１記録媒体に保存し、保存した画像のうち希望する画像情報を着脱自在の記録媒体（第２記録媒体）に複写することが可能な、画像処理方法、画像処理装置および情報処理プログラムを提供することにある。
本発明の他の目的は、好ましくは、画像提供手段からキャプチャした画像をＪＰＥＧで第１記録媒体に保存し、保存したＪＰＥＧ画像のうち希望する画像をＤＣＦフォーマットで着脱自在の記録媒体（第２記録媒体）に複写することが可能な、画像処理方法、画像処理装置および情報処理プログラムを提供することにある。
本発明のさらに他の目的は、着脱自在の記録媒体（第２記録媒体）に希望する画像情報を複写する際に、その選択が容易であり、第２記録媒体に複写した後も利用が容易または便利なように、第１記録媒体に保存された画像情報を編集したり、タイトルを付したり、整理することが可能な画像処理方法、画像処理装置および情報処理プログラムを提供することにある。
【００１７】
【課題を解決するための手段】
本発明の第１の観点によれば、（ａ）情報処理装置の表示画面に、画像取込み指定ボタンが付加されるウインドウを表示し、（ｂ）ユーザが上記取込み指定ボタンを選択することによって、上記情報処理装置の表示画面に表示される選択されたウインドウ（アクティブなウインドウ）の範囲内に表示される表示情報を静止画像データとして複写してキャプチャ画像ファイルを生成し、（ｃ）生成した上記キャプチャ画像ファイルを第１記録媒体の特定のフォルダに記録し、（ｄ）上記特定のフォルダに記録されたキャプチャ画像ファイルの一覧を表示する第１のエリアと、上記情報処理装置に接続される第２記録媒体の特定のフォルダに記録されるファイルの一覧を表示する第２のエリアとを有する専用ウインドウを起動し、（ｅ）上記専用ウインドウの上記第１エリアに表示されるキャプチャ画像ファイルのうち、ユーザに選択されたキャプチャ画像ファイルを第２記録媒体に複写する、ことを特徴とする情報処理方法が提供される。
【００１８】
好ましくは、上記キャプチャした画像情報がＪＰＥＧ方式の画像でない場合ＪＰＥＧ方式の画像データに変換して上記第１記録媒体の特定のフォルダに保存する。
また好ましくは、上記第２記録媒体に上記選択されたキャプチャ画像ファイルを複写するとき、ＤＣＦフォーマットで複写する。
【００１９】
本発明の第２の観点によれば、上記情報処理方法を実施する情報処理装置が提供される。
本発明の第３の観点によれば、上記情報処理方法を実施する情報処理プログラムが提供される。
【００２０】
本明細書において、画像情報とは、画像データと、その画像データに関連する文字、数字、記号などの情報を含む意味で用いている。
【００２１】
たとえば、通信網に接続された画像情報提供手段から、所望の画像データおよびその画像データに関連する情報を含む画像情報をキャプチャする。
情報処理装置の表示画面に、画像取込み指定ボタンが付加されるウインドウを表示する。ユーザが上記取込み指定ボタンを選択することによって、上記情報処理装置の表示画面に表示される選択されたウインドウ（アクティブなウインドウ）の範囲内に表示される表示情報を静止画像データとして複写してキャプチャ画像ファイルを生成する。生成した上記キャプチャ画像ファイルを第１記録媒体の特定のフォルダに記録する。上記特定のフォルダに記録されたキャプチャ画像ファイルの一覧を表示する第１のエリアと、上記情報処理装置に接続される第２記録媒体の特定のフォルダに記録されるファイルの一覧を表示する第２のエリアとを有する専用ウインドウを起動する。上記専用ウインドウの上記第１エリアに表示されるキャプチャ画像ファイルのうち、ユーザに選択されたキャプチャ画像ファイルを第２記録媒体に複写する。
これにより、簡単な操作が希望するキャプチャ画像が第２記録媒体に複写できる。
【００２２】
好ましくは、第２記録媒体に複写する画像データをＪＰＥＧ方式の画像データにし、ＤＣＦフォーマットで複写すると、第２記録媒体に複写された画像データが他の画像処理装置で再生できる。
【００２３】
【発明の実施の形態】
本発明の画像処理方法および画像処理装置の実施の形態について添付図面を参照して述べる。
【００２４】
システム構成
図１は本発明の実施の形態の画像処理装置に関連するシステムの接続関係を示す図である。
本発明の画像処理装置の１実施の形態としてのパーソナルコンピュータシステム（以下、パソコンシステム）４が、本発明の通信網の１実施の形態としてのインターネット１に接続されており、インターネット１には本発明の画像情報提供手段の１例としてのＷｅｂサイト３が接続されている。
なお本発明の画像処理装置としては、パーソナルコンピュータに限らず、ＰＤＡなどの通信処理機能を有し、画像信号処理機能を有する他の画像処理方法であってもよい。ただし、以下、画像処理装置としてパーソナルコンピュータを用いた場合について例示する。
また本発明の通信網としてはインターネット１に限らず、ＬＡＮ（ＬｏｃａｌＡｒｅａ  Ｎｅｔｗｏｒｋ）など他の通信網であってもよい。ただし、以下、通信網として、インターネット１について例示する。
【００２５】
パソコンシステム４は、ＣＰＵ、ウインドウの表示画面となる液晶表示器などの表示器、各種プログラムが記録されている不揮発性メモリ、後述する静止画情報キャプチャプログラム、静止画情報管理ツールプログラムなどか格納されるＲＡＭなどからなるパソコン本体４１と、本発明の第１記録媒体の１例としてのハードディスク４３を有する。ハードディスク４３は本実施形態においてはパソコン本体４１に実装されており自由に着脱できない。
またパソコン本体４１には、本発明の第２記録媒体（着脱自在の記録媒体）の１例として、小型のメモリカード５が着脱（挿脱）自在に接続できる。
メモリカード５は各種の他の画像処理機能を有する画像処理装置、たとえば、ディジタルカメラ６１、ＰＤＡ６２、携帯電話機６３、プリンタ装置６４、他のパーソナルコンピュータ６５などに装荷でき、それにより、メモリカード５に保存された静止画データをこれらの画像処理装置において再生できる。
【００２６】
処理の内容
図２は本発明の実施の形態の画像処理装置、すなわち、パソコン本体４１のＣＰＵにおける画像処理方法を示すフローチャートである。
【００２７】
ステップ１：ウインドウに初期状態を表示
初期パソコン本体４１のＣＰＵは、情報処理装置の表示画面に、画像取込み指定ボタンが付加されるウインドウを表示する。
【００２８】
ステップ２：キャプチャ画像ファイルの作成
パソコン本体４１のＣＰＵは、ユーザが上記取込み指定ボタンを選択することによって、上記情報処理装置の表示画面に表示される選択されたウインドウ（アクティブなウインドウ）の範囲内に表示される表示情報を静止画像データとして複写してキャプチャ画像ファイルを生成する。
すなわち、画像取り込みボタンが操作されると、パソコン本体４１に準備された画像情報キャプチャプログラムを用いて、たとえば、インターネット１を介してＷｅｂサイト３から希望する画像情報を、パソコン本体４１にキャプチャ（取得）でき、パソコン本体４１はキャプチャした画像をファイルとして生成する。
【００２９】
ステップ３：キャプチャ画像ファイルを第１記録媒体に保存
パソコン本体４１のＣＰＵは、生成した上記キャプチャ画像ファイルを第１記録媒体の特定のフォルダに記録する。
なお好ましくは、第１記録媒体にキャプチャ画像ファイルを保存するとき、パソコン本体４１に準備された画像情報キャプチャプログラムがＷｅｂサイト３から取得した画像情報の画像データ、たとえば、静止画データがＪＰＥＧ方式でない場合、ＪＰＥＧ方式の静止画データに変換し、変換したＪＰＥＧ方式の静止画を第１記録媒体としてのハードディスク４３に保存する。Ｗｅｂサイト３から取得した静止画データがＪＰＥＧ方式で構成されている場合は上記ＪＰＥＧ方式への静止画への変換を行うことなく、取得した画像情報をハードディスク４３に保存する。
【００３０】
ステップ４：専用ウインドウの起動
パソコン本体４１のＣＰＵは、上記特定のフォルダに記録されたキャプチャ画像ファイルの一覧を表示する第１のエリアと、上記情報処理装置に接続される第２記録媒体の特定のフォルダに記録されるファイルの一覧を表示する第２のエリアとを有する専用ウインドウを処理する専用ウインドウ処理プログラムを起動する。
【００３１】
ステップ５：キャプチャ画像ファイルの編集、管理
パソコン本体４１に準備された画像情報管理ツールプログラムはユーザの指定に応じて、ハードディスク４３に保存した画像情報にタイトル（名前）を付す、コメントを付す、画像情報を修正する、他の画像情報と合体させる、画像情報の一部を削除する、不要となった画像情報を削除する、順番を変更するなどの並べ替え作業など、各種の画像情報編集、管理処理を行う。またパソコン本体４１に準備された画像情報管理ツールプログラムは、メモリカード５などの着脱自在の第２記録媒体に保存した画像情報を削除することもできる。これらの処理の詳細は後述する。
たとえば、画像情報にタイトルを付したり、コメントを付したりすることにより、画像情報の識別および選択が容易になり、さらに、画像情報をメモリカード５に複写したとき、その内容が容易に理解でき、画像情報を再生せずにその内容を確認できる。
【００３２】
ステップ６：選択されたキャプチャ画像ファイルを第２記録媒体に複写
パソコン本体４１のＣＰＵは、上記専用ウインドウの上記第１エリアに表示されるキャプチャ画像ファイルのうち、ユーザに選択されたキャプチャ画像ファイルをメモリカード５などの第２記録媒体に複写する。
好ましくは、キャプチャ画像ファイルを第２記録媒体に複写するとき、静止画データをＤＣＦフォーマットで複写する。
【００３３】
メモリカード５に希望するキャプチャ画像ファイルを複写後、そのメモリカード５をディジタルカメラ６１、ＰＤＡ６２などに装荷すると複写された静止画データがディジタルカメラ６１、ＰＤＡ６２などにおいて再生できる。
したがって、たとえば、必要な画像情報をメモリカード５に複写した後、ＰＤＡ６２に装荷して携帯すれば、ＰＤＡ６２を携帯しているユーザは任意の状態でメモリカード５に複写された静止画を関連する文字、数字などの情報とともに再生して見ることができる。
【００３４】
たとえば、パソコン本体４１がＷｅｂサイト３から静止画情報として日本地図をキャプチャしてハードディスク４３に保存しておく。ユーザは必要に応じて、東京都のある区の地図をメモリカード５に転送し、そのメモリカード５をＰＤＡ６２に装荷して、ＰＤＡ６２を携帯する。そのようなユーザは、東京都のその区に到着したとき、その区の地図をＰＤＡ６２の表示器に再生できる。必要に応じて、ＰＤＡ６２においてその区の地図を拡大して再生することもできる。
このような状態は、地図などの静止画情報を実質的に携帯可能な状態であるといえる。
もちろん、メモリカード５に複写する静止画情報は上述した地図情報に限らず、種々の画像情報が対象となり得る。
【００３５】
詳細な処理内容
図２を参照して上述した動作についてさらに詳細な処理内容を述べる。
【００３６】
１．セットアッププログラムを起動
▲１▼Ｗｉｎｄｏｗｓ（登録商標）の［スタート］ボタンをクリックし、［マイコンピュータ］を選ぶ。
▲２▼セットアッププログラムを展開したドライブ・フォルダを開く。
▲３▼本発明の画像情報キャプチャプログラムを示すアイコンをダブルクリックする。
その結果、図３に例示したセットアップ開始画面が表示される。
▲４▼［次へ］をクリックする。
これにより、ハードディスク４３にダウンロードされたセットアッププログラムがパソコン本体４１においてスタートする。
以下、パソコン本体４１の表示器の画面に表示されるメッセージに従って操作を進める。
本発明の画像情報キャプチャプログラムは、メモリカードの普及を促すホームページからダウンロードする形態で配布してもよいし、メモリカード、ディスク媒体などに記録して配布してもよい。
【００３７】
２．Ｗｅｂ情報（画像情報）をキャプチャ
▲１▼図４（ａ）に例示したＷｅｂブラウザ上のツールバーにあるカメラからメモリカードへ情報を複写する図形で表された［取り込み］アイコン（枠で囲んだ部分）をクリックする。取り込みアイコンは、図４（ｂ）の拡大図に示すように、カメラとメモリカードと矢印の組み合わせで描かれ、ユーザに表示情報をメモリカードに転送する処理を促すことができる。
上記ツールバーの右端に位置する、カメラから画像情報を取り込むことを示すアイコンが、本発明の取り込み指定ボタンに対応している。
【００３８】
▲２▼上記取込みアイコンの選択によって、図５に例示したハードディスクへの画像の保存を促すウンドウが表示される。該保存用のウインドウにおいて、［ファイル名］に、キャプチャしたい静止画情報を保存する名前を入力する。図５は静止画情報をキャプチャするための画面の例を示す図である。
【００３９】
▲３▼図５に図解した画面における［保存］ボタンをクリックする。その結果、ハードディスク４３に記録されている画像情報キャプチャプログラムがパソコン本体４１において自動的に起動して、画像情報キャプチャプログラムによってＷｅｂサイトからキャプチャした画像情報が、入力した名前でパソコン本体４１のハードディスク４３内に保存される。
続けて、メモリカード５への画像情報の複写操作に進む。
なお、Ｗｅｂブラウザ上のツールバーにある取り込みアイコンからではなく、ツールメニューから、プルダウンして取り込みメニューを選択することによっても、取り込みアイコンと同様に画像をキャプチャすることができる。
【００４０】
キャプチャ範囲とサイズ
図６に例示したように、セットアップ直後は、Ｗｅｂブラウザに表示している範囲を、Ｗｅｂブラウザが表示しているサイズでキャプチャする。図６は本発明の実施の形態におけるキャプチャ範囲とサイズを例示した図である。
Ｗｅｂブラウザのウィンドウサイズを小さくしていると、キャプチャサイズも小さくなる。
さらに静止画情報キャプチャプログラムで［ツール−設定］を選び（ツールメニューから、プルダウンして設定メニューを指定し）、縮小サイズにするか、Ｗｅｂブラウザに表示されているサイズ通りにするかを切り替える。
【００４１】
３．ハードディスクへ保存
Ｗｅｂサイト３からキャプチャした静止画情報は画像情報キャプチャプログラムによってハードディスク４３に保存される。
ハードディスク４３におけるＷｅｂサイトからキャプチャした静止画情報の保存先は特定のフォルダになる。セットアップ直後は、ウインドウの種類に応じた特定のフォルダがパソコン本体４１の表示器に表示される。なお、キャプチャした静止画情報を保存する特定のフォルダは、ユーザによって新規に作成されたフォルダであってもかまわない。
【００４２】
４．キャプチャ画像ファイルの編集・管理
画像情報管理ツールプログラムをパソコン本体４１の表示器に表示する。画像情報管理ツールプログラムを起動すると、パソコン本体４１の表示器に図７に図解した画面が表示される。
画像情報管理ツールプログラムが本発明の専用ウインドウの処理を行う。
【００４３】
表示画面の概要
図７に図解した各部分の主な役割を述べる。
【００４４】
▲１▼タイトルバー
アプリケーション名と、現在表示している一覧の場所を表示する。右端には、アプリケーションのサイズを変えるボタンも配置される。
【００４５】
▲２▼メニューバー
ドロップダウンメニューの階層のメニューを表示する。
【００４６】
▲３▼ツールバー
画像情報理プログラムを操作する、主なコマンドをアイコンとして割り付けている。該当する部分をクリックするだけで、それぞれの機能を実行できる。左から、次の機能が割り当てられている。
名前の変更・情報の削除・すべてを選択・最新の情報に更新・ブラウザ起動・設定・利用ガイド
【００４７】
▲４▼パソコンのファイル一覧
パソコン本体４１側の、規定フォルダ内のファイルを一覧する。一覧の上部にあるフォルダ名をクリックして、規定フォルダ以下にある階層に切り替えることができる。
このファイル一覧からメモリカード５に複写する静止画情報のファイルを選ぶ。
パソコン内のファイルは、後述するように、名前を変えたり、削除したりすることができる。
ファイル名をダブルクリックして、拡張子に関連づけられているアプリケーションを起動することもできる。
【００４８】
▲５▼「複写」アイコン
パソコン本体４１の表示器のファイル一覧で選んでキャプチャ画像ファイルをメモリカード５に複写する。▲５▼の複写アイコンは、▲４▼のパソコンのファイル一覧エリアと▲６▼のメモリカードのファイル一覧エリアの間に表示される。
【００４９】
▲６▼メモリカードのファイル一覧
パソコン本体４１のスロットにセットしたメモリカード５に保存されているファイルを一覧する。
【００５０】
５．キャプチャした画像情報ファイルをメモリカード５に複写
図８に図解したように、画像情報管理ツールプログラムによってパソコン本体４１の表示器に、Ｗｅｂ情報（画像情報）を保存したハードディスク４３のフォルダと、メモリカード５内のファイルが一覧される。
なお、一覧に表示されるのは、Ｅｘｉｆ形式のＪＰＥＧ静止画データだけである。
【００５１】
▲１▼メモリカード５に複写するキャプチャ画像情報ファイルを選択
図９に例示したように、メモリカード５に複写したいキャプチャ画像情報ファイルをクリックして選ぶ。
なお、複数のキャプチャ画像情報ファイルをまとめて選ぶこともできる。その場合はＣｔｒｌキーを押しながらクリックすると複数のファイルを選ぶことができ、Ｓｈｉｆｔキーを押しながらクリックすると連続したファイルを選ぶことができる。図９（ａ）は１つのファイル選択例を示し、（ｂ）は２つのファイル選択例を示している。
さらに、［編集−すべてを選択］で（編集メニューから、プルダウンしてすべて選択を指定して）、一覧に表示しているフォルダ内の、すべてのＷｅｂ情報を選んだ状態にすることもできる。
【００５２】
▲２▼メモリカード５をセットしたドライブを確かめる。
パソコン本体４１に複数のスロットがある場合は、複写先とするメモリカード５をセット（装荷）したドライブを選ぶ。
図１０に図解した画面右側のアイコン（シンボル）をクリックして、プルダウンメニューを表示し、一覧として表示するドライブを切り替える。図１０はドライブを切り替えてメモリカード５をセット（装荷）したドライブを選択した例を図解した図である。
【００５３】
▲３▼パソコン本体４１の表示器の画面上の［複写］アイコン（図７▲５▼参照）をクリックする。
それにより、静止画情報管理ツールプログラムによって、選んだキャプチャ画像情報ファイルがハードディスク４３からメモリカード５へ複写される。
このとき、メモリカード５へ複写されたキャプチャ画像情報ファイルは、好ましくは、ＤＣＦ規格に沿った名前に置き換わる。メモリカード５内での情報の名前を下記に例示する。
【００５４】
メモリカード５内での画像情報ファイルの名前
メモリカード５にキャプチャ画像情報ファイルを複写すると、次のルールに則ったファイル名に自動的に置き換わり、ハードディスク４３内に保存した名前とは別の名前になる。
【００５５】
ファイルの名前
ＤＣＦファイルの名前の部分は、ＣＬ＋Ａ０〜Ｚ９の英数字を組み合わせた上４桁と、０００１から始まる数値の下４桁で構成される。３〜４桁目のＡ０〜Ｚ９まではメモリカード５への複写操作を行った単位で、１つずつ順に変わり、Ｚ９まで使われると、Ａ０に戻る。
上４桁はＣＬＡ０〜ＣＬＺ９、下桁は０００１から始まる連番を組み合わせた名前が付けられる。
【００５６】
メモリカード５内の名前を確かめたい場合は、画像情報管理ツールプログラムの一覧方法を切り替える。たとえば、メモリカード５に複写したとき自動的に付けられた名前を確かめる場合などである。
【００５７】
画像情報ファイルの命名ルール
メモリカード５へキャプチャ画像情報ファイルを複写すると、ＤＣＦ規格に準拠して、次のようなルールで画像情報が保存される。
保存先
ＤＣＦイメージ用のルートのフォルダが存在しない場合、ルートのフォルダ（￥ＤＣＩＭ）と、サブフォルダ（１００ＭＳＤＣＦ）を作成する。ＤＣＦイメージ用のサブフォルダが複数存在する場合は、数値部分が最も大きいフォルダに情報を保存する。
【００５８】
キャプチャ画像情報ファイルを整理する方法
上記ステップ５における動作の詳細を述べる。
画像情報管理ツールプログラムを使ってＷｅｂサイト３からキャプチャし、ハードディスク４３に保存されているキャプチャ画像情報ファイルは、一覧形式のほか、サムネイル（縮小画像）で表示できる。また、メモリカード５への複写のほか、不要になった静止画情報をハードディスク４３から削除するなど、ハードディスク４３内のファイルを整理することもできる。
なお、一覧に表示されるのは、Ｅｘｉｆ形式のＪＰＥＧデータだけである。
以下、各種の整理方法、管理方法、編集方法などを述べる。
【００５９】
（１）ハードディスク４３に保存した画像情報ファイル名を変える。
ハードディスク４３に保存した画像情報の名前は、後で変えることができ、その方法（手順）を下記に述べる。
▲１▼画像情報管理ツールプログラムを表示する。
▲２▼名前を変えるファイルのあるフォルダを一覧に表示する。
規定のフォルダ以下に、キャプチャした画像情報を保存している場合に切り替える。
フォルダ名の右横の記号をクリックして表示されたフォルダ一覧から目的のフォルダを選ぶ。フォルダ名の前の展開ボタン［＋］をクリックすると、下位の階層になるフォルダが表示される。
▲３▼左側のファイル一覧から名前を変えるファイルをクリックする。
▲４▼［ファイル−名前の変更］（ファイルメニューから、プルダウンして名前の変更を指定して）を選ぶ。なお、ツールバーの［名前の変更］をクリックするのも同じ処理である。
▲５▼ファイル名を変えられる状態になるので、新しい名前を入力してＥｎｔｅｒキーを押す。その結果、静止画情報管理ツールプログラムによって、図１１に例示したように、選んだファイルの名前が変わる。
【００６０】
（２）画像情報を削除する方法
不要になったＷｅｂ情報（キャプチャ画像情報ファイル）は、ハードディスク４３から削除できる。また、ハードディスク４３に保存した画像情報と、メモリカード５に複写した画像情報を両方とも削除できる。
▲１▼画像情報管理ツールプログラムを表示する。
▲２▼ハードディスク４３内のファイルを対象にする場合は左側の一覧からメモリカード５内のファイルを対象にする場合は右側の一覧からファイルを選ぶ。
▲３▼［ファイル−削除］を選ぶ（ファイルメニューから、プルダウンして削除を指定する）。ツールバーのごみ箱としてアイコンで図解されている［削除］をクリックしてもよい。
▲４▼削除してもよいかを確認するメッセージが表示されるので、［はい］をクリックする。
これにより、画像情報管理ツールプログラムにより、ハードディスク４３、または、メモリカード５から画像情報のファイルが除去される。
【００６１】
（３）情報一覧の表示を変える処理
キャプチャし、ハードディスク４３に保存されているＷｅｂ情報（画像情報）の一覧を見るときは、サムネイル（縮小画像）の状態にしたり、名前順に並べ替えたりすることができる。
【００６２】
一覧をサムネイル表示にする場合
下記の操作により、一覧に表示するＷｅｂ情報（画像情報）を、サムネイル表示にすることができる。サムネイル表示にすると、キャプチャした画像情報の大体のイメージがつかめるので、ファイルを選ぶときなどに便利になる。
▲１▼画像情報管理ツールプログラムを表示する。
▲２▼サムネイル表示にするフォルダを一覧に表示する。
規定のフォルダ以下に、キャプチャした画像を保存している場合に切り替える。
フォルダ名の右横の記号をクリックして表示されたフォルダ一覧から、目的のフォルダを選ぶ。
フォルダ名の前の展開アイコン［＋］をクリックすると、下位の階層になるフォルダが表示される。
▲３▼［表示−縮小版］を選ぶ。
その結果、画像情報管理ツールプログラムによって、図１２に図解したように、Ｗｅｂ情報（キャプチャ画像情報）がサムネイルで表示される。
【００６３】
（４）メモリカード５へキャプチャ画像情報ファイルを複写したときに自動的に付けられた名前を確かめる。
メモリカード５にＷｅｂ情報（画像情報）を複写すると、ＤＣＦ規格に則った名前に自動的に変わる。ハードディスク４３内のファイル名に対するメモリカード５上の名前は、下記の操作による一覧で確認することができる。
▲１▼画像情報管理ツールプログラムを表示する。
▲２▼名前を確かめたいファイルのあるフォルダを一覧に表示する。
▲３▼［表示−詳細］を選ぶ（表示メニューから、プルダウンして詳細を指定する）。
その結果、図１３に図解したように、画像情報管理ツールプログラムによって、一覧の表示が切り替わり、行ごとに、各ファイルに関する情報がパソコン本体４１の表示器に表示される。
［ＤＣＦファイル］と表示された項目欄に、メモリカード５へ複写されたときの名前が表示される。このとき、メモリカード５へ一度も複写されていないファイルには何も表示されない。
なお、［詳細］の状態で表示しているときは、ファイルサイズや日付などの情報も確かめられる。
一覧の幅は調整することができる。メモリカード５側のファイル一覧の境界線にポインタを合わせると、ポインタの形が変わるので、ドラッグして幅を調整することができる。
【００６４】
（５）Ｗｅｂ情報（画像情報）のいろいろな表示の仕方
サムネイル表示や詳細表示のほかに、アイコンの状態にして表示することもできる。そのときの操作方法を下記に述べる。
▲１▼［表示−大きいアイコン／小さいアイコン］を選ぶ。
名前だけの一覧にするときは、［表示−一覧］を選ぶ。
【００６５】
（６）Ｗｅｂ情報（画像情報）を並べ替える
キャプチャ画像情報ファイル（Ｗｅｂ情報）は、名前・ファイルサイズ・日付を基準にして並べ替えることができる。
例１：画像情報ファイルをキャプチャした日付順に並べ替える例について述べる。その操作は下記になる。
▲１▼画像情報管理ツールプログラムを表示する。
▲２▼日付順に並べるフォルダを一覧に表示する。
▲３▼［表示−アイコンの整列−日付順］を選ぶ。
図１４に図解したように、キャプチャされた日付の古い順に画像情報ファイルが並ぶ。
【００６６】
例２：画像情報ファイルを日付の新しい順に並べる。
▲１▼［表示−詳細］を選んで、ファイル一覧を［詳細］の状態に切り替える。
▲２▼一覧の上部に表示される［更新日］をクリックすると、画像情報ファイルの並びが日付の新しい順になる。
▲３▼クリックするたびに、新しい順／古い順に並びが切り替わる。
【００６７】
本発明の編集、管理処理としては、上述した操作に限らず、ハードディスク４３に保存されている複数の静止画情報を合成したり、ハードディスク４３に保存されている静止画情報の一部を抽出したり、ハードディスク４３に保存されている静止画情報を編集したりすることができる。
【００６８】
画像情報管理ツールプログラムを終了
▲１▼［ファイル−終了］を選ぶ。これにより、画像情報管理ツールプログラムの処理が終了する。
その後、メモリカード５をパソコン本体４１から取出し、メモリカード５に保存した情報をディジタルカメラ６１、ＰＤＡ６２などにおいて利用できるようになる。
【００６９】
上述したように、パソコン本体４１において動作する、画像情報キャプチャプログラムおよび画像情報管理ツールプログラムが、本発明の画像処理装置の各手段に対応している。
【００７０】
【発明の効果】
本発明によれば、画像情報提供手段から画像情報のキャプチャが容易であり、キャプチャ画像情報ファイルから第２記録媒体に複写する画像情報を容易に選択できる。
【００７１】
本発明によれば、また、画像情報提供手段から希望する画像情報をキャプチャし、第１記録媒体に、たとえば、ＪＰＥＧ方式の静止画に変換して、保存し、第１記録媒体に保存している画像情報のうち希望する画像情報を着脱自在の第２記録媒体に、たとえば、ＤＣＦフォーマットの形態で複写することが容易にできる。
【００７２】
さらに、本発明によれば、第１記録媒体に保存した静止画情報をタイトル付け、並べ替え、編集、管理などを容易に行うことができる。
本発明によれば、第１記録媒体に保存した画像情報，および、着脱自在の第２記録媒体に複写した画像情報を削除することができる。
【図面の簡単な説明】
【図１】図１は本発明の実施の形態の画像処理装置に関連するシステムの接続関係を示す図である。
【図２】図２は本発明の実施の形態の画像処理装置における画像処理方法を示すフローチャートである。
【図３】図３は本発明の実施の形態におけるセットアップ開始画面の１例を示す図である。
【図４】図４は、本発明の実施の形態におけるＷｅｂブラウザ上のツールバーにある［取り込み］を例示した図である。
【図５】図５は本発明の実施の形態における画像情報をキャプチャするための画面の例を示す図である。
【図６】図６は本発明の実施の形態における画像情報のキャプチャ範囲とサイズを例示した図である。
【図７】図７は本発明の実施の形態における画像情報管理ツールプログラムで使用するパソコン本体の表示器に表示される画面の例を示す図である。
【図８】図８は本発明の実施の形態における画像情報管理ツールプログラムによってパソコン本体の表示器にＷｅｂ情報（画像情報）を保存したハードディスクのフォルダと、メモリカード内のファイルを一覧として表示した例を示す図である。
【図９】図９は本発明の実施の形態における複写したいＷｅｂ情報（画像情報）をクリックして選ぶ場合を例示したパソコン本体の表示器に表示される画面の例を示す図である。
【図１０】図１０は本発明の実施の形態におけるドライブを切り替える動作を示す例を図解した図である。
【図１１】図１１は本発明の実施の形態においてハードディスクに保存したＷｅｂ情報（画像情報）のファイル名を変える操作を例示した画面を示す図である。
【図１２】図１２は本発明の実施の形態において画像情報管理ツールプログラムによってＷｅｂ情報がサムネイルで表示される例を示した図である。
【図１３】図１３は本発明の実施の形態において画像情報管理ツールプログラムによって一覧の表示が切り替わり、行ごとに、各ファイルに関する情報がパソコン本体の表示器に表示される例を示した図である。
【図１４】図１４は本発明の実施の形態において画像情報管理ツールプログラムによってＷｅｂ情報（画像情報）を並べ替える例を示した図である。
【符号の説明】
１・・インターネット
３・・Ｗｅｂサイト
４・・画像処理装置（パーソナルコンピュータ）
４１・・パソコン本体、４３・・ハードディスク
５・・メモリカード
６・・他の画像処理装置
６１・・ディジタルカメラ、６２・・ＰＤＡ
６３・・携帯電話機、６４・・プリンタ装置
６５・・パーソナルコンピュータ
【図１】
2005051281.tif 000003
【図２】
2005051281.tif 000004
【図３】
2005051281.tif 000005
【図４】
2005051281.tif 000006
【図５】
2005051281.tif 000007
【図６】
2005051281.tif 000008
【図７】
2005051281.tif 000009
【図８】
2005051281.tif 000010
【図９】
2005051281.tif 000011
【図１０】
2005051281.tif 000012
【図１１】
2005051281.tif 000013
【図１２】
2005051281.tif 000014
【図１３】
2005051281.tif 000015
【図１４】
2005051281.tif 000016